(57)【要約】【課題】複数の重ねたＣＤ等の商品を斜め上方向から見ることができるようにし、かつ簡単には陳列棚から落下しないようにし、さらに、横幅に収まりきれない商品をも展示できるようにした陳列具を提供する。【解決手段】底板にはめ込まれて立設する前面板、底板に摺動可能にはめ込まれ、上記前面板との間にＣＤ等を収納したケースを挟み込むスライドユニット、底板にはめ込まれてばね部材の支持を行う後方板からなり、前記前面板及びスライドユニットが後方に約１５°傾斜して、展示するＣＤやＤＶＤ等又は本がやや上を向いて展示されるように構成する。【選択図】図１
0003142130.tif 000002
【実用新案登録請求の範囲】
【請求項１】
レンタルショップや販売店の陳列棚に置いて、ＣＤやＤＶＤ等を収納するケース又は本を複数重ねて陳列可能にした陳列具であって、
底板にはめ込まれて立設する前面板、底板に摺動可能にはめ込まれ、上記前面板との間に上記陳列用ケースを挟み込むスライドユニット、底板にはめ込まれてばね部材の支持を行う後方板からなり、
上記ばね部材により上記スライドユニットを前面方向に押圧することにより上記挟み込んだＣＤやＤＶＤ等を収納するケース又は本を保持すると共に、前記前面板及びスライドユニットを後方に所定の角度傾斜させて、展示するＣＤやＤＶＤ又は本等がやや上を向いて展示されることを特徴とするＣＤ等の陳列具。
【請求項２】
前記ばね部材がコイルばねであり、前記前面板の傾斜角に合わせて後方板から上を向く方向に張られていることを特徴とする前記請求項１記載のＣＤ等の陳列具。
【請求項３】
前記前面板の傾斜角が約１５°であることを特徴とする前記請求項１または２記載のＣＤ等の陳列具。
【請求項４】
底板の後方下側に磁石を収納し、金属製陳列台に陳列したとき陳列台に吸着できるようにしたことを特徴とする前記請求項１記載のＣＤ等の陳列具。
【請求項５】
底板の側方片側に差し込み構造、他方側方に該差し込み構造の受け構造を有し、前記陳列具が横方向に連結して使用できるようにしたことを特徴とする前記請求項１記載のＣＤ等の陳列具。
【考案の詳細な説明】
【技術分野】
【０００１】
本考案は、レンタルショップや販売店の陳列棚にＣＤやＤＶＤ又は本等を収納したケースを陳列する陳列具に関する。
【背景技術】
【０００２】
このような陳列具は、従来、特開２００７−１２５１４６号公報に示されるように陳列されるケースが垂直に展示され、客から見難い欠点があった。
【０００３】
以下、上記従来例について概略を説明する。
図１０は、上記従来のＣＤ等の陳列具を示す。同図の１は底板、２は正面板、３は背板、４はスライダー、５はＣＤケース等の陳列商品をそれぞれ表している。背板は底板の後方端に垂直に起立し、背板にはバネ支持部を正面側に突出している。そして、バネ支持部には穴が形成され、この穴にはコイルスプリングの後方端が嵌って支持されている。
【０００４】
底板にはガイド溝が前後方向に延びて形成され、このガイド溝にスライダー４の両側に設けたガイド片が遊嵌して位置決めされている。すなわち、ガイド片がガイド溝に遊嵌することでスライダー４はガイド溝に沿って前後方向にスライドすることが出来る。そして、上記コイルスプリングの先端はスライダー４の背後に当っている。
【０００５】
コイルスプリングのバネ力はスライダーに付勢され、該スライダーを正面側へ移動させる力が常時作用している。図１０は従来の陳列具に３枚のＣＤケース５を配置した場合であり、ＣＤケース５は底板に載って起立し、正面板２とスライダー４とで挟まれている。しかも、スライダー４にて正面側へ押圧されて正面板に当接した状態にある。
【０００６】
しかし、上記従来の陳列具は、ＣＤ等が垂直に展示されているので、近くにきた客が上から見難いという欠点があった。
また、陳列台に陳列具を載せた場合、客がＣＤ等を手に取ろうとすると、陳列具が前に倒れ、陳列台から落下してしまう欠点があった。
さらに、上記陳列具は横幅が一定なため、ＣＤ用の陳列具にＤＶＤ等の大型の商品を陳列しようとすると、横幅内に収まらず別の大型の陳列具を用意する必要があった。
【特許文献１】特開２００７−１２５１４６号公報
【特許文献２】特開平８−５２０５１号公報
【考案の開示】
【考案が解決しようとする課題】
【０００７】
本考案の課題は、上記従来の陳列具の欠点を解消し、ＣＤ等の商品を斜め上方向から見ることができ、複数のＣＤ等を重ねて陳列可能な陳列具を提供することを目的とする。
また、本考案の課題は、上記従来の陳列具の欠点を解消し、陳列具の底板に磁石を備え、該磁石により金属製の陳列棚に吸着させ、簡単には陳列具が陳列棚から落下しないようにすることを目的とする。
さらに、本考案の課題は、上記従来の陳列具の欠点を解消し、陳列具の横方向の両側辺に雄型、雌型の連結構造を設け、複数の陳列台が連結できる構造として横幅に収まりきれない商品を上記陳列具を連結して用いることにより展示できるようにすることを目的とする。
【課題を解決するための手段】
【０００８】
上述した課題を解決するため、本考案のＣＤ等の陳列具は、レンタルショップや販売店の陳列棚に置いて、ＣＤやＤＶＤ等又は本を収納したケースを複数重ねて陳列可能にした陳列具であって、底板にはめ込まれて立設する前面板、底板に摺動可能にはめ込まれ、上記前面板との間にＣＤやＤＶＤ等を収納したケース又は本を挟み込むスライドユニット、底板にはめ込まれてばね部材の支持を行う後方板からなり、上記ばね部材により上記スライドユニットを前面方向に押圧することにより上記挟み込んだ陳列用ケースを保持すると共に、前記前面板及びスライドユニットが後方に約１５°傾斜して、展示するＣＤやＤＶＤ又は本等がやや上を向いて展示されることを特徴とする。
【０００９】
さらに、前記ばね部材がコイルばねであり、前記前面板の傾斜角に合わせて後方板から約１５°上を向く方向に張られていることを特徴とする。
また、底板の後方下側に磁石を収納し、金属製陳列台に陳列したとき陳列台に吸着できるようにしたことを特徴とする。
またさらに、底板の側方片側に差し込み構造、他方側方に該差し込み構造の受け構造を有し、前記陳列具が横方向に連結して使用できるようにしたことを特徴とする。
【考案の効果】
【００１０】
本考案の陳列具により、展示するＣＤやＤＶＤ又は本等の商品がやや上を向いて展示されるので、商品が客から見やすくなる効果がある。
【００１１】
また本考案の陳列具により、陳列具に収納した磁石が金属製陳列台に吸着するので、陳列具が陳列棚から落下しにくくなる効果がある。
【００１２】
さらに本考案の陳列具により、陳列具を横方向に連結して使用できるので、ＣＤ用の陳列具にＤＶＤ又は本等の大型商品を陳列し展示できる効果がある。
【考案を実施するための最良の形態】
【００１３】
以下、図面を参照し、実施例にもとづき本考案を詳細に説明する。図１に本考案の陳列具の構成を示す。
【００１４】
本考案の陳列具は、図１において、底板１１にはめ込まれて立設する前面板１２、底板１１に摺動可能にはめ込まれ、図８に示す如く、前面板１２との間に陳列用ケース８１を挟み込むスライドユニット１３、底板１１にはめ込まれてばね部材１４の支持を行う後方板１５からなる。前記前面板１２及びスライドユニット１３を図８に示す如く後方に約１５°傾斜させることにより、展示するＣＤやＤＶＤ又は本等はやや上を向いて展示される。なお、この傾斜角は、１５°に限らず、１０°〜３０°の範囲で任意に設定される。
【００１５】
図２に、図１の本考案の陳列具の構成から前面板１２、スライドユニット１３及びばね部材１４を取り除いた部分、すなわち底板１１とそれにはめ込まれた後方板１５、の構造を示す。図３に、図１の本考案の陳列具におけるスライドユニット１３の構造を示す。また図４に、図３のスライドユニット１３を底部から見た構造を示す。
【００１６】
図２の底板１１上に構成されたガイド溝２１，２２はスライドユニット１３を底板１１に摺動可能にはめ込むためのもので、図４に示すスライドユニット１３のガイド片４１，４２が、ガイド溝２１，２２にそれぞれ遊嵌するように形成されている。図２の底板１１上に形成されたはずれ防止ガイド２３，２４は、スライドユニット１３が摺動する際にガイド片４１，４２がガイド溝からはずれて、スライドユニット１３が底板１１から浮き上がってしまうのを防ぐためのガイド構造であり、図４に示すスライドユニット１３のL形部分４３（図３の３１）、４４がこのはずれ防止ガイド２３，２４によってそれぞれ抑えられながら摺動できるように形成されている。なお、ガイド片４１，４２をガイド溝２１，２２に図２の左下方向からはめ込む時にガイド片４１，４２を図４の下方向に逃がすため、ガイド片４１，４２の両側方には図４に見られるように弾性を与えるための長孔が形成されている。
【００１７】
図３に示すように、スライドユニット１３の陳列用ケース（図示してない）を挟み込むための面３２は、垂直面に対して約１５度後方に傾斜するように形成されている。また図５に底板１１に固定する前面板１２の構造を示すが、スライドユニット１３との間に陳列用ケース（図示してない）を挟み込むための面５１も、同様に、垂直面に対して約１５°後方に傾斜するように形成されている。このため前面板１２とスライドユニット１３に挟まれて展示されるＣＤやＤＶＤ又は本等は、図８に示されるようにやや上を向いて展示されるので、客は、ＣＤやＤＶＤ又は本等の前面表示部分を上方から容易に見られるようになる。
【００１８】
図６は、本考案の陳列具を図１の切断位置１７において切断し、同図の矢印で示す方向（右横方向）から見たときの断面図である。図６において６１はばね部材１４の支持部（図１の１６）の断面を示す。この支持部６１は、ばね部材１４の形状に合わせて後方板１５上に円筒状に形成され、バネ部材１４の後方端を収容する。ばね部材１４として典型的にはコイルばねを使用し、その前方端はスライドユニット１３に設けられたばね部材の支持部６２に嵌合される。図３に示す如く、ばね部材１４の支持部６２の形状も、ばね部材１４の形状に合わせて、スライドユニット１３上に円筒状に形成される。
【００１９】
ばね部材１４は図６に示すように、前面板１２およびスライドユニット１３の傾斜角に合わせて約１５°左上方（前面上方）を向く方向に張られており、このばね部材の反発力がスライドユニット１３を前面板１２の方向に押し出す力となって、ＣＤやＤＶＤ等の陳列用ケース又は本はスライドユニット１３と前面板１２の間に隙間無く安定的に挟み込まれる。ばね部材に約１５°の上向き傾斜角を持たせるのは、この挟み込む力が挟まれる陳列用ケースの全面に均等にかかるようにして、スライドユニット１３が滑らかに摺動できるようにするためである。
【００２０】
図８は、ＣＤやＤＶＤ等の陳列用ケース又は本８１が、スライドユニット１３と前面板１２の間に隙間無く安定的に挟み込まれる様子を、図６と同じ断面図により示したものである。
【００２１】
図６において底板１１の後方下側には磁石６３が収納されており、この底板を構成要素のひとつとする本考案の陳列具を金属（一般には鉄を代表とする強磁性体）製の陳列台（図示してない）に陳列したとき、陳列台に吸着できるようにしている。
【００２２】
図７は、本考案の陳列具を図６の切断位置６４において切断し、同図の矢印で示す方向（後ろ方向）から見たときの断面図である。底板１１は側方片側に差し込み構造７１（図２の２５，２６）、他方側方に該差し込み構造の受け構造７２（図２の２７，２８）を有している。図９は、この構造を持つ本考案の陳列具を2個横方向に並べ、一方の陳列具の差込み構造９１を他方の陳列具の差し込み構造の受け構造９２に嵌合させることにより、連結して使用することができるようにした様子を示す。なお、図９のような2個の陳列具の連結に限らず、このような横方向の連結を複数回繰り返すことも可能である。したがって、図７の構造を有するたとえばＣＤ用の陳列具を１種類用いるだけで、ＤＶＤ等の大型商品を陳列し展示することが可能となる。
【産業上の利用可能性】
【００２３】
本考案の陳列具によれば、ＣＤやＤＶＤ又は本等のレンタルショップや販売店の商品陳列棚で使用する際に商品を上から見やすい陳列具を提供でき、客にとっての利便性を向上するとともに商品の売上げ増加にも寄与できる。また本考案の陳列具によれば、陳列具が陳列棚から落下して商品や陳列具を破損することを防止でき、レンタルショップや販売店の損失を低減できる。さらに本考案の陳列具によれば、１種類の陳列具のみで横幅の異なる商品も収納できるので、陳列スペースおよび陳列コストの低減につながる。以上のように、本考案の陳列具は産業上の利用性が高い。
【図面の簡単な説明】
【００２４】
【図１】本考案の陳列具の構成を示す図である。
【図２】本考案の陳列具の底板とそれにはめ込まれた後方板の構造を示す図である。
【図３】本考案の陳列具のスライドユニットの構造を示す図である。
【図４】スライドユニットの底部から見た構造を示す図である。
【図５】底板に固定する前面板の構造を示す図である。
【図６】本考案の陳列具の右横方向から見た断面図である。
【図７】本考案の陳列具の後ろ方向から見た断面図である。
【図８】陳列用ケースがスライドユニットと前面板の間に挟み込まれる様子を示す図である。
【図９】本考案の陳列具を2個横方向に連結して使用する様子を示す図である。
【図１０】従来のＣＤ等の陳列具を示す図である。
【符号の説明】
【００２５】
１      底板
２      正面板
３      背板
４      スライダー
５      ＣＤケース
１１      底板
１２      前面板
１３      スライドユニット
１４      バネ部材
１５      後方板
１６      ばね部材の支持部
１７      図６の断面図の切断位置
２１、２２      ガイド溝
２３、２４      はずれ防止ガイド
２５、２６      差込み構造
２７、２８      差込み構造の受け構造
３１      Ｌ形部分
３２      陳列用ケースを挟み込むための面
４１、４２      ガイド片
４３、４４      Ｌ形部分
５１      陳列用ケースを挟み込むための面
６１      ばね部材の支持部
６２      ばね部材の支持部
６３      磁石
６４      図７の断面図の切断位置
７１      差込み構造
７２      差込み構造の受け構造
８１      磁石
９１      差込み構造
９２      差込み構造の受け構造
【図１】
0003142130.tif 000003
【図２】
0003142130.tif 000004
【図３】
0003142130.tif 000005
【図４】
0003142130.tif 000006
【図５】
0003142130.tif 000007
【図６】
0003142130.tif 000008
【図７】
0003142130.tif 000009
【図８】
0003142130.tif 000010
【図９】
0003142130.tif 000011
【図１０】
0003142130.tif 000012